(57)【特許請求の範囲】
【請求項１】
映像音声信号と番組情報とからなる放送番組を受信し、前記映像音声信号を記憶および再生する放送受信記録再生装置において、
前記放送番組に対する利用者の嗜好性の度合いを示す所望度を算出する評価部と、
前記放送番組を録画する録画部と、
前記録画した放送番組のうち、自動再生の対象となる自動再生録画番組の録画量を監視する管理部と、
前記録画量が所定値以下となった場合に、放送が開始される放送番組を録画する追加録画制御部と、
いずれかの前記自動再生録画番組よりも、所望度の高い放送番組が放送開始される場合には、前記所望度の高い放送番組を録画し、所望度の低い前記自動再生録画番組を削除する更新録画制御部と、
前記自動再生録画番組を自動再生し、自動再生後の自動再生録画番組を削除または視聴済録画番組とする自動再生部とを備えたことを特徴とする放送受信記録再生装置。
【請求項２】
前記追加録画制御部は、放送番組の録画予約を受け付ける録画予約部を備え、
自動再生録画番組の録画量が所定値以下となった場合に、前記録画量の時間内に放送される放送番組の中で、最も所望度の高い放送番組を選択し、前記録画予約部に録画予約指示を出力することを特徴とする請求項１記載の放送受信記録再生装置。
【請求項３】
前記自動再生部は、自動再生録画番組の放送順序を考慮して自動再生することを特徴とする請求項１または請求項２記載の放送受信記録再生装置。
【発明の詳細な説明】
【技術分野】
【０００１】
本発明は、利用者の嗜好に基づき放送番組を自動的に録画し、後に自動再生により自動再生させる放送受信記録再生装置に関するものである。
【背景技術】
【０００２】
従来より、利用者の嗜好に合致する放送番組を自律的に録画し、後に録画した番組を自動的に順次再生する録画再生装置が提案されている。例えば、特許文献１には、記録を開始した番組の画像テキスチャ、音声キーワード、又番組に関わる記述情報を検出し、それらの認識、検出したレベルを基に番組の嗜好レベルを記憶されたレベルと比較し、嗜好レベルが低いとされるときは記録した番組の消去を行い、利用者の嗜好レベルの高い番組のみを記録する記録方法が開示されている。また、特許文献２には、利用者が自分の嗜好情報を映像視聴装置またはサーバに、事前に登録し、番組提供者側は、各番組に属性情報を登録し、利用者の嗜好情報に基づいて、利用者に対する各番組の嗜好度を自動的に計算し、利用者の嗜好度が最も高い番組を決定して順次再生することで、利用者は別段の操作なしに自動再生する再生装置が開示されている。
【先行技術文献】
【特許文献】
【０００３】
【特許文献１】特許第３８８８５７５号
【特許文献２】特開２００３−２８９４８１号公報
【発明の概要】
【発明が解決しようとする課題】
【０００４】
しかしながら、従来の記録方法および再生方法では、利用者の嗜好に合致する放送番組を記憶媒体に順次録画し、後に記憶媒体に録画されている録画番組を再生すると、全ての録画番組の再生が終了した時点で未視聴の録画番組は枯渇するという課題があった。たとえ途中で放送番組が追加で録画される可能性が合ったとしても、録画番組の枯渇を完全に防ぐことはできない。
【０００５】
この発明は上記のような課題を解決するためになされたもので、未視聴の録画番組の残量に応じて自動で放送番組を録画し、または利用者の嗜好に合致する放送番組を適宜録画して、記憶媒体中の未視聴の録画番組の残量を一定以上保つことにより、自動再生する未視聴の録画番組の枯渇を防ぐ放送受信記録再生装置を得ることを目的とする。
【課題を解決するための手段】
【０００６】
この発明に係る放送受信記録再生装置は、放送番組に対する利用者の嗜好性の度合いを示す所望度を算出する評価部と、放送番組を録画する録画部と、録画した放送番組のうち、自動再生の対象となる自動再生録画番組の録画量を監視する管理部と、録画量が所定値以下となった場合に、放送が開始される放送番組を録画する追加録画制御部と、いずれかの自動再生録画番組よりも、所望度の高い放送番組が放送開始される場合には、所望度の高い放送番組を録画し、所望度の低い前記自動再生録画番組を削除する更新録画制御部と、自動再生録画番組を自動再生し、自動再生後の自動再生録画番組を削除または視聴済録画番組とする自動再生部とを備えるように構成したものである。
【発明の効果】
【０００７】
この発明の放送受信記録再生装置は、録画量が所定値以下となった場合に、放送が開始される放送番組を録画する追加録画制御部と、いずれかの自動再生録画番組よりも、所望度の高い放送番組が放送開始される場合には、所望度の高い放送番組を更新録画する更新録画制御部と、自動再生録画番組を自動再生する自動再生部とを備えるように構成したので、自動再生録画番組の残量を一定以上に保つと共に、利用者の所望度の高い放送番組を録溜めることができる。また、利用者は嗜好に合った放送番組を自動再生することができる。
【図面の簡単な説明】
【０００８】
【図１】この発明の実施の形態１による放送受信記録再生装置の構成を示すブロック図である。
【図２】この発明の実施の形態１による放送受信記録再生装置の追加録画処理の動作を示すフローチャートである。
【図３】この発明の実施の形態１による放送受信記録再生装置の更新録画処理の動作を示すフローチャートである。
【図４】この発明の実施の形態１による放送受信記録再生装置の自動再生処理の動作を示すフローチャートである。
【図５】この発明の実施の形態２による放送受信記録再生装置の構成を示すブロック図である。
【図６】この発明の実施の形態２による放送受信記録再生装置の追加録画処理の動作を示すフローチャートである。
【発明を実施するための形態】
【０００９】
実施の形態１．
図１、この発明の実施の形態１による放送受信記録再生装置１００の構成を示すブロック図である。
放送受信記録再生装置１００は、チューナ１０１、デマックス１０２、電子番組表管理部（管理部）１０３、番組評価部（評価部）１０４、記憶部１０５、録画番組管理部１０６、録画部１０７、追加録画制御部１０８、更新録画制御部１０９、自動再生部１１０、ビデオデコード部１１１およびオーディオデコード部１１２で構成されている。さらにこの放送受信記録再生装置１００は、放送波を受信するアンテナ２００、映像を表示するディスプレイ３００、および音声などを再生するスピーカ４００に接続され、録画再生システムを構成している。録画再生システムは、アンテナ２００が放送波を受信し、当該放送受信記録再生装置１００が入力された放送波からビデオ信号およびオーディオ信号を生成し、ビデオ信号をディスプレイ３００に、オーディオ信号をスピーカ４００に出力する。
【００１０】
次に、放送受信記録再生装置１００の各構成について説明する。
チューナ１０１は、利用者によって指定されたチャンネルの放送波から放送ストリームを取得する。なお、放送ストリームは、例えば日本のデジタル放送で一般的に用いられるＭＰＥＧ−２  ＴＳなどとし、少なくとも電子番組表、ビデオストリームおよびオーディオストリームが多重化されているものとする。
【００１１】
デマックス１０２は、チューナ１０１から入力される放送ストリームから、電子番組表、ビデオストリーム、およびオーディオストリームを取得する。取得した電子番組表、ビデオストリームおよびオーディオストリームはそれぞれ電子番組表管理部１０３、ビデオデコード部１１１およびオーディオデコード部１１２に出力される。
電子番組表管理部１０３は、デマックス１０２から入力される電子番組表を記憶する。追加録画制御部１０８、更新録画制御部１０９および番組評価部１０４からの要求に応じて、記憶している電子番組表を提供する。また、電子番組表に記載された放送番組の放送が開始される際、更新録画制御部１０９に動作指示を出力する。
【００１２】
番組評価部１０４は、放送番組に対する利用者の嗜好の度合い、即ち予め利用者が設定している嗜好キーワードが電子番組表の番組情報内に出現する回数（以下、所望度と称する）を算出する。
記憶部１０５は、放送番組のオーディオストリームおよびビデオストリームと、電子番組表に記載された番組情報とを関連付けて録画する。以下、記憶部１０５に録画した放送番組を録画番組と呼ぶ。各録画番組は、自動再生の対象であるか否かを示すフラグを有している。以下、自動再生の対象となる録画番組を自動再生録画番組、自動再生対象録画番組の合計時間を自動再生残量（録画量）と呼ぶ。
【００１３】
録画番組管理部１０６は、記憶部１０５に記憶された録画番組を管理している。具体的には、自動再生対象録画番組の残量である自動再生残量を監視し、当該自動再生残量が所定の下限値を下回っている場合には追加録画制御部１０８を制御する。なお、利用者は初期設定として自動再生残量の下限値を設定することができる。さらに録画番組管理部１０６は、更新録画制御部１０９および自動再生部１１０から入力される指示に基づき、不要となった録画番組を記憶部１０５から削除する、あるいは視聴済録画番組とする。
【００１４】
録画部１０７は、電子番組表に記載されている放送番組を記憶部１０５へ録画する。具体的には、録画すべき放送番組のチャンネルの選局指示をチューナ１０１に出力し、チューナ１０１から得られる放送ストリームを記憶部１０５に録画する。
この録画部１０７により録画された直後の録画番組は自動再生の対象であると設定される。つまり、後述する追加録画処理および更新録画処理によって録画された録画番組に加え、利用者の手動録画もしくは予約録画による録画番組も含め、全ての録画による録画番組は自動再生の対象となる。
なお、チューナ１０１、記憶部１０５および録画部１０７を複数組搭載することにより、複数の放送番組を同時に記憶部１０５に録画することが可能となる。
【００１５】
追加録画制御部１０８は、自動再生対象録画番組の自動再生残量が所定の下限値を下回ると、追加して放送番組を録画して補充を行う。具体的には、自動再生残量が予め設定された下限値以下となると、当該自動再生残量が下限値を超えるまで直近に放送される放送番組を録画するように録画部１０７を制御する。これにより、自動再生残量を一定以上に保つことができる。
【００１６】
更新録画制御部１０９は、番組評価部１０４が算出した所望度に基づき、録画部１０７に記憶されている自動再生対象録画番組よりも高い所望度の放送番組を録画して置き換える。具体的には、放送番組の放送開始時に電子番組表管理部１０３からの動作指示を受け付け、いずれかの自動再生対象録画番組よりも、高い所望度の放送番組が放送開始される場合、当該放送番組を録画するように録画部１０７を制御し、最も所望度の低い自動再生対象録画番組を削除するように録画番組管理部１０６に指示する。
なお、更新録画制御部１０９と追加録画制御部１０８の動作が重複するのを防止するために、更新録画制御部１０９の動作条件を、自動再生残量が下限値を上回っている場合に限ってもよい。
【００１７】
自動再生部１１０は、記憶部１０５に録画されている自動再生対象録画番組の所望度を参照し、当該所望度の高い順に自動再生する。また、再生が終了した自動再生対象録画番組を削除または視聴済録画番組とするように録画番組管理部１０６に指示する。
なお、自動再生部１１０は、自動再生対象録画番組を再生する際、まずデマックス１０２のビデオストリームの出力先をビデオデコード部１１１に設定すると共に、オーディオストリームの出力先をオーディオデコード部１１２に設定する。その後、記憶部１０５から自動再生対象録画番組の放送ストリームを読み出してデマックス１０２に出力し、自動再生対象録画番組を再生する。
【００１８】
ただし、上述の自動再生処理では、連続ドラマのように視聴順序に制約がある場合、録画番組の再生順序が入れ替わってしまう問題も生じる。例えば、連続ドラマの１話目よりも２話目の所望度が高い場合には、２話目から再生されてしまう。そこで、自動再生部１１０が所定の選択方法に従って再生する自動再生対象録画番組を選択するように構成してもよい。
【００１９】
以下、自動再生部１１０の自動再生対象録画番組の選択方法について具体的に述べる。
まず、自動再生部１１０は、記憶部１０５に録画されている全ての自動再生対象録画番組の一覧を作成し、所望度の高い自動再生対象録画番組から順に所定の条件に合致するか判定する。所定の条件とは、「自動再生対象録画番組がシリーズでないか」、もしくは「自動再生対象録画番組がシリーズであり、かつシリーズの系統が一致し、かつ自動再生対象録画番組の一覧にエピソード番号がより若い録画番組が存在しない」とする。この所定の条件に基づいた判定結果に従って再生する自動再生対象録画番組の選択および再生順序の決定を行う。
【００２０】
日本の地上デジタル放送の場合、録画番組がシリーズであるか否かは、当該録画番組の番組情報にシリーズ記述子（ｓｅｒｉｅｓ＿ｄｅｓｃｒｉｐｔｏｒ）があるか否かにより判別できる。
また、二つの録画番組のシリーズの系列が一致しているか否か、つまり連続ものであるか否かは、番組情報のシリーズ記述子（ｓｅｒｉｅｓ＿ｄｅｓｃｒｉｐｔｏｒ）に記載された地上ブロードキャスタ識別（ｔｅｒｒｅｓｔｒｉａｌ＿ｂｒｏａｄｃａｓｔｅｒ＿ｉｄ）およびシリーズ識別（ｓｅｒｉｅｓ＿ｉｄ）について二つの録画番組の各値同士が、合致しているか否かにより判別できる。
さらに、録画番組のエピソード番号がより若いか否かは、番組情報のシリーズ記述子（ｓｅｒｉｅｓ＿ｄｅｓｃｒｉｐｔｏｒ）のエピソード番号（ｅｐｉｓｏｄｅ＿ｎｕｍｂｅｒ）が「０」でなく、かつ番号の大小により判別することができる。
【００２１】
なお、視聴順序の制約に基づいて正しい再生順序を決定可能であれば、上記条件は適宜変更および追加可能である。
【００２２】
ビデオデコード部１１１は、例えばＭＰＥＧ−２  Ｖｉｄｅｏ形式のビデオストリームをデコードしてビデオデータを取得し、当該ビデオデータをＤ／Ａコンバータに通し、ディスプレイ３００に表示可能なビデオ信号を取得する。
【００２３】
オーディオデコード部１１２は、例えば日本のデジタル放送に用いられるＭＰＥＧ−２  ＡＡＣ形式のオーディオストリームをデコードしてオーディオデータを取得し、当該オーディオデータをＤ／Ａコンバータに通し、スピーカ４００により出力可能なオーディオ信号を取得する。
【００２４】
次に、この実施の形態１に係る放送受信記録再生装置の動作について説明を行う。なお、動作説明は、追加録画処理、更新録画処理および自動再生処理に分けて行う。
＜追加録画処理＞
図２は、この実施の形態１に係る放送受信記録再生装置の追加録画処理動作を示すフローチャートである。
録画番組管理部１０６は、自動再生残量が所定の下限値を下回っているか否か判定を行う（ステップＳＴ１）。ステップＳＴ１において自動再生残量が下限値以上であると判定された場合には、ステップＳＴ１の処理に戻る。
一方、ステップＳＴ１において自動再生残量が所定の下限値を下回っていると判定された場合には、追加録画制御部１０８に追加録画指示を出力する（ステップＳＴ２）。
【００２５】
追加録画制御部１０８は、ステップＳＴ２において入力された追加録画指示に従い電子番組表管理部１０３から電子番組表を取得し、当該電子番組表を参照して直近に放送される放送番組を選択し（ステップＳＴ３）、録画部１０７に当該放送番組の録画指示を出力する（ステップＳＴ４）。録画部１０７は、ステップＳＴ４で入力された録画指示に従い、録画すべき放送番組が放送されるチャンネルの選局指示をチューナ１０１に出力し（ステップＳＴ５）、チューナ１０１から入力される放送ストリームの断片を取得し、記憶部１０５に録画する（ステップＳＴ６）。ステップＳＴ７において録画すべき放送番組が終了したと判断されるまで、ステップＳＴ６およびステップＳＴ７を繰り返し、放送番組を録画する。
【００２６】
＜更新録画処理＞
図３は、この実施の形態１に係る放送受信記録再生装置の更新録画処理動作を示すフローチャートである。なお、上述した追加録画処理と同一の処理を行うステップには図２で使用した符号と同一の符号を付す。
電子番組表管理部１０３は、電子番組表に記載されている各放送番組の放送開始時に、更新録画制御部１０９に対して動作指示を出力すると共に、放送が開始される放送番組を通知する（ステップＳＴ１１）。ステップＳＴ１１において動作指示が入力された更新録画制御部１０９は、録画番組管理部１０６に記録されている各自動再生対象録画番組に係る番組情報を取得する（ステップＳＴ１２）。
【００２７】
更新録画制御部１０９は、ステップＳＴ１２において取得した番組情報を参照して自動再生対象録画番組の中で最も所望度が低く、かつステップＳＴ１１において通知された放送が開始される放送番組よりも所望度の低い自動再生対象録画番組が存在するか否か判定を行う（ステップＳＴ１３）。ステップＳＴ１３において、該当する自動再生対象録画番組が存在すると判定された場合は、録画番組管理部１０６に対して該当した自動再生対象録画番組の削除指示を出力し（ステップＳＴ１４）、録画番組管理部１０６は該当する自動再生対象録画番組を記憶部１０５から削除する（ステップＳＴ１５）。
一方、ステップＳＴ１３において、該当する自動再生対象録画番組が存在しないと判定された場合には、ステップＳＴ１１の処理に戻り待機する。
【００２８】
次に、更新録画制御部１０９はステップＳＴ１１において通知された放送番組の録画指示を録画部１０７に出力する（ステップＳＴ１６）。録画部１０７は、ステップＳＴ１６の録画指示に従い、録画すべき放送番組が放送されるチャンネルの選局指示をチューナ１０１に出力し（ステップＳＴ５）、チューナ１０１から入力される放送ストリームの断片を取得して記憶部１０５に記録する（ステップＳＴ６）。ステップＳＴ７において録画すべき放送番組が終了したと判断されるまで、ステップＳＴ６およびステップＳＴ７を繰り返し、放送番組を録画する。
【００２９】
＜自動再生処理＞
一般的なデジタル放送受信機は、利用者が指定したチャンネル番号に応じて同調するチャンネルをチューナ１０１に設定することで、デジタル放送のチャンネルを切り替えている。それに加えて、実施の形態１の放送受信記録再生装置１００は、チューナ１０１には設定を行わない仮想的なチャンネル番号を設け、利用者がその仮想的なチャンネル番号を指定すると自動再生部１１０が動作するように構成されている。
【００３０】
図４は、この実施の形態１に係る放送受信記録再生装置の自動再生処理動作を示すフローチャートである。
まず利用者の操作により、自動再生部１１０に動作指示が入力される（ステップＳＴ２１）。自動再生部１１０は、ステップＳＴ２１において入力された動作指示を受けて、録画番組管理部１０６から自動再生対象録画番組の番組情報を取得する（ステップＳＴ２２）。自動再生部１１０は、ステップＳＴ２２において取得した番組情報から得られる所望度を比較し、所望度の高い順に再生する自動再生対象録画番組を選択する（ステップＳＴ２３）。自動再生部１１０は、ステップＳＴ２３において選択した自動再生対象録画番組の放送ストリームの断片を記憶部１０５から取得し、デマックス１０２に出力する（ステップＳＴ２４）。
【００３１】
デマックス１０２は、ステップＳＴ２４において取得した放送ストリームからビデオストリームおよびオーディオストリームを分離し、ビデオデコード部１１１にビデオストリームの断片、オーディオデコード部１１２にオーディオストリームの断片を出力する（ステップＳＴ２５）。ビデオデコード部１１１は入力されたビデオストリームをデコードしてビデオ信号を取得してディスプレイ３００に出力し、オーディオストリームをデコードしてオーディオ信号を取得してスピーカ４００に出力する（ステップＴ２６）。自動再生部１１０は、再生すべき自動再生対象録画番組が終了したか否か判定を行い（ステップＳＴ２７）、終了していないと判定された場合には、ステップＳＴ２４に戻り上述の処理を繰り返す。一方、終了したと判定された場合には録画番組管理部１０６に再生済みの自動再生対象録画番組の削除指示を出力し録画番組管理部１０６が該当する自動再生対象録画番組を削除し（ステップＳＴ２８）、処理を終了する。なお、ステップＳＴ２８の処理以外にも、自動再生対象録画番組を視聴済録画番組として保管するように処理しても良い。
【００３２】
なお、上述した自動再生処理では所望度を考慮して再生順序を決定する構成を示したが、これに放送順序を考慮して再生順序を決定するように構成してもよい。その場合、ステップＳＴ２３において所望度の高い順に再生する自動再生対象録画番組を選択した後に、当該自動再生対象録画番組がシリーズであるか否かなどの条件で判定を行い、再生順序を決定する。
【００３３】
以上のように、この実施の形態１によれば、自動再生残量がある所定値以下となった場合に、追加録画制御部１０８が直近の放送番組を録画するように構成したので、自動再生残量を一定以上に保ち、自動再生の対象となる録画番組が枯渇するのを防止することができる。
【００３４】
また、この実施の形態１によれば、更新録画制御部１０９が、放送番組の放送が開始される放送番組の所望度と、自動再生対象録画番組の所望度を比較し、より所望度の高い放送番組が開始される場合には当該放送番組を録画して置き換えるように構成したので、利用者の所望度が高い放送番組を録溜めることができる。
【００３５】
また、この実施の形態１によれば、自動再生部１１０が自動再生対象録画番組の所望度や放送順序を考慮して自動再生するように構成したので、利用者は嗜好に合った放送番組を正しい順序で自動再生することができる。
【００３６】
実施の形態２．
実施の形態１において示した放送受信記録再生装置１００では、自動再生残量が所定の下限値以下の場合、追加録画制御部１０８が直近の放送番組を録画するように構成している。しかし、放送番組の選別を行わず、闇雲に直近の放送番組を録画した場合、更新録画制御部１０９により録画番組が置き換えられる可能性が高く、追加録画制御部１０８による録画が無駄になる可能性がある。そこで、この実施の形態２ではより効率的に追加録画処理を行う追加録画制御部１０８の構成を示す。
【００３７】
図５は、実施の形態２に係る放送受信記録再生装置の構成を示すブロック図であり、実施の形態１の放送受信記録再生装置１００の追加録画制御部１０８に録画予約部１０８ａを追加して設けている。なお以下では、実施の形態１に係る放送受信記録再生装置１００の構成要素と同一または相当する部分には実施の形態１で使用した符号と同一の符号を付して説明を省略または簡略化する。
【００３８】
自動再生残量が所定の下限値を下回っている場合、実施の形態１の追加録画制御部１０８では直近に放送が開始される放送番組を録画するように録画部１０７を制御する。しかし、自動再生残量と同じ時間内には自動再生対象録画番組が枯渇することはないため、この実施の形態２の追加録画制御部１０８は、自動再生残量と同じ時間内に放送が開始される放送番組を録画予約するように録画予約部１０８ａを制御する。
なお、以下では録画予約部１０８ａに録画予約されている放送番組の合計時間を予約総量と呼ぶ。
【００３９】
追加録画制御部１０８は、電子番組表を参照して自動再生残量と同じ時間内に放送が開始される放送番組を、所望度の高い順に、かつ自動再生残量と予約総量の合計が所定の下限値を超えるまで選択する。また、選択した放送番組を録画予約するように録画予約部１０８ａを制御する。
なお、追加録画制御部１０８が予約する放送番組を選択する際に、複数の放送番組の放送時間帯が重なった場合には、それらの放送番組の中で所望度を比較し、当該所望度の高い順に同時に録画できる数だけ放送番組を選択し、放送時間帯が重なった残りの放送番組の録画は無視するものとする。
【００４０】
録画予約部１０８ａは、追加録画制御部１０８が電子番組表を参照して選択した複数個の放送番組を録画予約として記憶する。また、この録画予約に基づき、録画部１０７に対して放送番組の開始時刻には録画開始指示を出力し、放送番組の終了時刻には録画終了指示を出力する。
録画部１０７は、録画予約部１０８ａの録画開始指示および録画終了指示に従い、指定された放送番組を録画する。
【００４１】
次に、この実施の形態２の放送受信記録再生装置の追加録画処理について図６のフローチャートに従って説明を行う。なお、実施の形態１の追加録画処理と同一の処理を行うステップには図２で使用した符号と同一の符号を付す。
＜追加録画処理＞
録画番組管理部１０６は、自動再生残量が所定の下限値を下回っているか否か判定を行う（ステップＳＴ１）。ステップＳＴ１において自動再生残量が下限値以上であると判定された場合には、ステップＳＴ１の処理に戻る。一方、ステップＳＴ１において自動再生残量が所定の下限値を下回っていると判定された場合には、追加録画制御部１０８に追加録画指示を出力する（ステップＳＴ２）。
【００４２】
追加録画制御部１０８は、ステップＳＴ２において入力された追加録画指示に従い電子番組表管理部１０３から電子番組表を取得すると共に、録画予約部１０８ａの現在の予約総量を取得する（ステップＳＴ３１）。さらに、自動再生残量と同じ時間内に放送が開始される放送番組を電子番組表から所望度の高い順に選択し（ステップＳＴ３２）、選択した放送番組の中で放送時間帯が重複しているものがあるか否か判定する（ステップＳＴ３３）。
【００４３】
ステップＳＴ３３において重複していると判定された場合には、当該重複している各放送番組の所望度を比較し、所望度が最も高い放送番組のみを選択する（ステップＳＴ３４）。ステップＳＴ３３において重複していないと判定された場合にはステップＳＴ３５に進む。次に、追加録画制御部１０８は選択した放送番組の録画予約指示を録画予約部１０８ａに出力し（ステップＳＴ３５）、自動再生残量と予約総量の合計時間が所定の下限値を超えたか否か判定する（ステップＳＴ３６）。
ステップＳＴ３６において、所定の下限値を超えていないと判定された場合にはステップＳＴ３２の処理に戻り、上述した処理を繰り返す。一方、ステップＳＴ３６において、所定の下限値を超えたと判定された場合、処理を終了する。
【００４４】
以上のように、この実施の形態２によれば、追加録画制御部１０８に録画予約部１０８ａを設け、自動再生残量と同じ時間内に放送が開始される放送番組を録画するように構成したので、無駄の少ない追加録画処理を実施することができる。これにより、録画部の実行回数を抑制することができ、放送受信記録再生装置の消費電力を抑制することができる。
【符号の説明】
【００４５】
１００  放送受信記録再生装置、１０１  チューナ、１０２  デマックス、１０３  電子番組表管理部、１０４  番組評価部、１０５  記憶部、１０６  録画番組管理部、１０７  録画部、１０８  追加録画制御部、１０８ａ  録画予約部、１０９  更新録画制御部、１１０  自動再生部、１１１  ビデオデコード部、１１２  オーディオデコード部、２００  アンテナ、３００  ディスプレイ、４００  スピーカ。
【図１】
0005473726.tif 000002
【図２】
0005473726.tif 000003
【図３】
0005473726.tif 000004
【図４】
0005473726.tif 000005
【図５】
0005473726.tif 000006
【図６】
0005473726.tif 000007